(57)【要約】      （修正有）【課題】被収容物が引っ張られることに起因して陳列状態が乱れることを抑制できる吊り下げパッケージを提供する。【解決手段】吊り下げパッケージ１は、直線状のアーム部２１と、アーム部に設けられ、鉤状の形状を有する吊り下げ部２２と、内部に被収容物が収容される収容空間３３を有する矩形状のパッケージ部３とを備える。パッケージ部３は、一辺に対応する部分３４Ｕをアーム部２１に結合する結合部３１Ａと、一辺と交差する方向に平行な一対の側辺のうち少なくとも一方の側辺３４Ｓに開口形成された開口形成部３５とを有する。【選択図】図１
0003193118.tif 000002
【実用新案登録請求の範囲】
【請求項１】
吊り下げパッケージであって、
直線状のアーム部と、
前記アーム部に設けられ、鉤状または環状の形状を有する吊り下げ部と、
内部に被収容物が収容される収容空間を有する矩形状のパッケージ部であって、前記パッケージ部の一辺に対応する部分を前記アーム部に結合する結合部と、前記一辺と交差する方向に平行な前記パッケージ部の一対の側辺のうち少なくとも一方の側辺に対応する部分に開口形成された開口形成部とを有するパッケージ部と、を備える、吊り下げパッケージ。
【請求項２】
請求項１に記載の吊り下げパッケージであって、
前記開口形成部は、前記一対の側辺の両方に対応する部分それぞれに形成されている、吊り下げパッケージ。
【請求項３】
請求項１または請求項２に記載の吊り下げパッケージであって、
前記開口形成部には、開放した開放穴が形成され、
さらに、前記パッケージ部の側辺と交差しつつ前記開放穴を跨ぐように前記パッケージ部に設けられる帯体であって、前記側辺に平行な方向における幅が前記開放口よりも狭い帯体を備える、吊り下げパッケージ。
【請求項４】
請求項１から請求項３のいずれか一項に記載の吊り下げパッケージであって、
前記パッケージ部のうち前記収容空間を形成する内面に、ポケットが設けられている、吊り下げパッケージ。
【考案の詳細な説明】
【技術分野】
【０００１】
本明細書に開示される技術は、吊り下げパッケージに関する。
【背景技術】
【０００２】
例えば、毛布を店頭に陳列する方法として、横桟付きのハンガーを利用する方法がある（例えば特許文献１）。この方法は、毛布を折り畳んでハンガーの桟部分に掛け、そのハンガーのフック部分を、パイプハンガー等の吊り下げ用のバーに引っ掛けて吊り下げる方法である。
【先行技術文献】
【特許文献】
【０００３】
【特許文献１】特開２００５−２１１６１８号公報
【考案の概要】
【考案が解決しようとする課題】
【０００４】
しかし、上記のハンガーを利用する方法では、毛布がむき出しになる。このため、例えば、来店者は、互いに重なり合う複数の毛布の中から特定の毛布の絵柄を詳しく見たい場合、そのむき出しになった毛布を直接手で持って引っ張り出すことがある。そうすると、毛布がハンガーの桟部分の一端側に片寄ったりして毛布が乱れるという問題があり、その結果、整理整頓された陳列状態が乱れる。なお、このような問題は、毛布に限らず、シーツなどの他の寝具、タオル類や衣類等に共通の問題である。また、このような問題は、陳列時に限らず、例えば自宅での収納時などでも同様に生じる。
【０００５】
本明細書では、上述した課題の少なくとも一部を解決することが可能な技術を開示する。
【課題を解決するための手段】
【０００６】
（１）本明細書によって開示される吊り下げパッケージは、直線状のアーム部と、前記アーム部に設けられ、鉤状または環状の形状を有する吊り下げ部と、内部に被収容物が収容される収容空間を有する矩形状のパッケージ部であって、前記パッケージ部の一辺に対応する部分を前記アーム部に結合する結合部と、前記一辺と交差する方向に平行な前記パッケージ部の一対の側辺のうち少なくとも一方の側辺に対応する部分に開口形成された開口形成部とを有するパッケージ部と、を備える。
【０００７】
この吊り下げパッケージは、例えば毛布等の被収容物を収容可能なパーケージ部を有し、そのパッケージ部の一辺に対応する部分をアーム部に結合する結合部が設けられ、そのアーム部に吊り下げ部が設けられている。これにより、被収容物を、パッケージ部に収容した状態で吊り下げバーに吊り下げることができる。従って、この吊り下げパッケージによれば、被収容物自体が引っ張られることに起因して被収容物が乱れることを抑制することができる。さらに、パッケージ部の一対の側辺の少なくとも一方に対応する部分に開口形成部が形成されているため、吊り下げパッケージを吊り下げバーに吊り下げたまま、その側辺に対応する部分から、開口形成部を介して、被収容物に容易に触れることができる。
【０００８】
（２）上記吊り下げパッケージでは、前記開口形成部は、前記一対の側辺の両方に対応する部分それぞれに形成されていてもよい。この吊り下げパッケージによれば、パッケージの両側から開口形成部を介して、被収容物に容易に触れることができる。
【０００９】
（３）上記吊り下げパッケージでは、前記開口形成部には、開放した開放穴が形成され、さらに、前記パッケージ部の側辺と交差しつつ前記開放穴を跨ぐように前記パッケージ部に設けられる帯体であって、前記側辺に平行な方向における幅が前記開放口よりも狭い帯体を備えてもよい。この吊り下げパッケージによれば、外部から開放穴を介して被収容物に容易に触れることを可能としつつ、被収容物がパッケージ部からはみ出ることを抑制することができる。
【００１０】
（４）上記吊り下げパッケージでは、前記パッケージ部のうち前記収容空間を形成する内面に、ポケットが設けられていてもよい。この吊り下げパッケージによれば、隣りの吊り下げ物との干渉によりポケットが損傷することを防止することができる。
【図面の簡単な説明】
【００１１】
【図１】一実施形態の吊り下げパッケージの構成図
【図２】毛布を収容した状態を示す吊り下げパッケージの正面図
【図３】毛布を収容した状態を示す吊り下げパッケージの側面図
【考案を実施するための形態】
【００１２】
＜一実施形態＞
一実施形態の吊り下げパッケージ１について図１〜図３を参照しつつ説明する。
吊り下げパッケージ１は、毛布やシーツ等の寝具、タオル類や衣類等の被収容物を、パイプハンガー等の吊り下げ用のバー（図示しない）に吊り下げて陳列したり、収納したりするためのものである。以下、被収容物の一例として、毛布Ａを挙げて説明する（図２，３参照）。
【００１３】
（吊り下げパッケージの構成）
図１に示すように、吊り下げパッケージ１は、ハンガー部２と、パッケージ部３と、一対の帯体４，４を備える。ハンガー部２は、アーム部２１とフック部２２とを備える。アーム部２１は、一の方向にまっすぐに延びた棒体であり、フック部２２は、鉤状の形状を有する。フック部２２は、吊り下げ部の一例である。フック部２２は、アーム部２１の長手方向（図１の紙面左右方向）における中央位置に設けられている。なお、上記中央位置は、上記長手方向における厳密な中心位置に限らず、中心位置から長手方向に数センチ程度ずれた位置でもよい。
【００１４】
アーム部２１とフック部２２とは樹脂材料によって一体形成されている。なお、アーム部２１とフック部２２とは、一体形成された構成に限らず、互いに別体とされるとともに連結された構成でもよい。さらに、アーム部２１とフック部２２とは、樹脂材料に限らず、例えば金属材料や木材等の他の材料によって形成されたものでもよく、また、お互いに異なる材料から形成されたものでもよい。
【００１５】
パッケージ部３は、長方形状のシート３１が折り曲げられ、重ね合わせた両端部分３１Ａが、上記ハンガー部２のアーム部２１に連結された構成になっている。具体的には、シート３１の両端部分３１Ａが、アーム部２１を包含した状態で互いに熱溶着されている。この構成により、パッケージ部３の内部、換言すれば、折り曲げられたシート３１の内部が収容空間３３とされている。図２，図３には、この収容空間３３に、例えば矩形状の台紙（図示せず）を挟んで折り畳まれた毛布Ａが収容された状態が示されている。
【００１６】
パッケージ部３のうち、シート３１の両端部分３１Ａに隣接した上端部３４Ｕと、その上端部３４Ｕと平行な下端部３４Ｄとが閉塞されている。その一方、上端部３４Ｕに直交する一対の側端部３４Ｓ、３４Ｓの両方に、常時開放した開放穴３５がそれぞれ形成されている。
【００１７】
シート３１の上記両端部分３１Ａは結合部の一例である。パッケージ部３の上端部３４Ｕは「パッケージ部の一辺に対応する部分」および「結合部」の一例であり、パッケージ部３の側端部３４Ｓ、３４Ｓは「パッケージ部の側辺に対応する部分」の一例である。開放穴３５を形成している周辺部分は、開口形成部の一例である。
【００１８】
フック部２２は、シート３１の両端部分３１Ａに形成された貫通穴３２を介して外部に突出している。これにより、フック部２２を吊り下げ用のバーに引っ掛けることにより、吊り下げパッケージ１を、そのバーに吊り下げることができる。なお、シート３１は、透明のビニールシートである。但し、シート３１は、透明でなくてもよく、例えば半透明、不透明でもよい。
【００１９】
各帯体４は、長方形状の形状を有し、短手方向の幅Ｄ１は、上下方向における開放穴３５の開口幅Ｄ２よりも狭い。各帯体４は、上端部３４Ｕと側端部３４Ｓとの両方に直交する方向、図１では紙面奥行き方向に開放穴３５を跨ぐようにパッケージ部３に設けられる。具体的には、各帯体４の基端部分が、シート３１の内面に熱溶着により固定され、先端部分に雌のスナップボタン３６が設けられている。シート３１のうち帯体４が固定された部分に対向する部分の外面には、雄のスナップボタン３７が設けられている。雌のスナップボタン３６および雄のスナップボタン３７により、帯体４の先端部分を、シート３１の外面に固定したり、取り外したりすることができる。
【００２０】
さらに、シート３１の内面には、ポケット３８が設けられている。具体的には、矩形状のビニールのシート片３８Ａの３辺が、シート３１の内面に熱溶着により接合されている。これにより、ポケット３８に、値段や商品説明等を記載されたカードＢ（図２参照）などを入れることができる。カードＢの記載内容は、透明なシート３１を介して外部から視認することができる。
【００２１】
（本実施形態の効果）
本実施形態の吊り下げパッケージ１によれば、被収容物を、パッケージ部３に収容した状態で吊り下げバーに吊り下げることができる。このため、被収容物の絵柄等を詳しく見たければ、パッケージ部３を直接手で持って引っ張り出せばよい。つまり、被収容物自体が引っ張られることに起因して被収容物が乱れることを抑制することができる。
【００２２】
さらに、パッケージ部３の側端部３４Ｓには、開放穴３５が形成されている。このため、吊り下げパッケージ１を吊り下げバーに吊り下げたまま、その側端部３４Ｓから、開放穴３５を介して、被収容物に容易に触れて、被収容物を確認することができる。しかも、開放穴３５は、一対の側端部３４Ｓ、３４Ｓの両方に形成されている。このため、一対の側端部３４Ｓ、３４Ｓのいずれが来客者等の手前に向くように、吊り下げパッケージ１が吊り下げバーに吊り下げられたとしても、開放穴３５を介して、被収容物に容易に触れて、被収容物を確認することができる。
【００２３】
また、開口形成部は、開放穴３５および帯体４を備えて構成されている。従って、外部から開放穴３５を介して被収容物に容易に触れることを可能としつつ、被収容物がパッケージ部３からはみ出ることを抑制することができる。また、ポケット３８は、パッケージ部３の内面に設けられている。このため、ポケット３８がパッケージ部３の外面に設けられた構成に比べて、隣りの吊り下げ物との干渉によりポケット３８が損傷することを防止することができる。
【００２４】
ここで、従来のハンガーを利用する方法では、桟部分に掛けられた毛布が下方に長く垂れ下がった状態になる。これに対して、吊り下げパッケージ１によれば、毛布Ａを、折り畳まれた状態でパッケージ部３に収容することができるため、上下方向においてコンパクト化を図ることができ、ひいては陳列形態や収納形態の自由度を高めることができる。
【００２５】
＜他の実施形態＞
本明細書で開示される技術は上記記述及び図面によって説明した実施形態に限定されるものではなく、例えば次のような種々の態様も含まれる。
【００２６】
上記アーム部２１は、一の方向にまっすぐに延びた棒体でなくてもよく、例えば、中央部分が折れ曲がった形状でもよい。要するに、アーム部２１は、おおむね直線状の形状であればよい。
【００２７】
フック部２２は、アーム部２１の」中央位置に設けられていなくてもよい。例えば、アーム部の中央位置を間に挟む２箇所それぞれにフック部２２が設けられた構成でもよい。
【００２８】
開放穴３５は、パッケージ部３の側端部３４Ｓ、３４Ｓのいずれか一方だけに形成されていてもよい。つまり、一対の側端部３４Ｓ、３４Ｓのいずれか一方は閉塞されていてもよい。
【００２９】
開口形成部は、開放穴３５により常に開放した構成に限らず、チャックなどで開放穴３５を閉塞可能な構成でもよい。
【００３０】
帯体４は、上端部３４Ｕと側端部３４Ｓとの両方に直交する方向に対して傾いていてもよい。要するに、帯体４は、パッケージ部３の側端部３４Ｓと交差しつつ開放穴３５を跨ぐようにパッケージ部３に設けられていればよい。
【００３１】
ポケット３８は、パッケージ部３の外面に設けられていてもよい。
【符号の説明】
【００３２】
１：吊り下げパッケージ  ２：ハンガー部  ３：パッケージ部  ４，４：帯体  ４：帯体  ２１：アーム部  ２２：フック部  ３１：シート  ３１Ａ：両端部分  ３２：貫通穴  ３３：収容空間  ３４Ｄ：下端部  ３４Ｓ：側端部  ３４Ｕ：上端部  ３５：開放穴  ３６：スナップボタン  ３７：スナップボタン  ３８：ポケット  ３８Ａ：シート片  Ａ：毛布  Ｂ：カード  Ｄ１：帯体の幅  Ｄ２：開口幅
【図１】
0003193118.tif 000003
【図２】
0003193118.tif 000004
【図３】
0003193118.tif 000005